(57)【特許請求の範囲】
【請求項１】
マット状浴槽と、前記マット状浴槽の上を覆うカバーと、ミスト発生装置とを備える介護用入浴システムに用いられるマット状浴槽であって、
人が横臥可能な横臥部と、前記横臥部の周縁に設けられる側壁部とを備えるマット本体を有し、
前記側壁部は、前記ミスト発生装置が発生させたミストが流通する管路が接続し、該ミストを前記横臥部側に向けて吹き出すためのミスト供給孔と、前記横臥部側から前記マット本体外側にミストを排出して前記ミスト発生装置に還流させるためのミスト排出孔を備えることを特徴とするマット状浴槽。
【請求項２】
前記横臥部は、平面視矩形状に形成されており、
前記ミスト供給孔及び前記ミスト排出孔は、前記横臥部の周縁に設けられる複数の側壁部の内、一の側壁部に設けられていることを特徴とする請求項１に記載のマット状浴槽。
【請求項３】
前記横臥部側において配置され、前記ミスト排出孔から前記横臥部側に導かれるミストの吹き出し方向を変更するミスト案内部を更に備えることを特徴とする請求項１または２に記載のマット状浴槽。
【請求項４】
前記ミスト案内部は、前記ミスト供給孔から供給されたミストを前記横臥部の平面方向に沿う方向よりも上方に向けて案内可能に構成されている請求項３に記載のマット状浴槽。
【請求項５】
前記ミスト案内部は、前記ミスト供給孔から供給されたミストを前記横臥部の平面方向に沿う方向よりも下方に向けて案内可能に構成されている請求項３または４に記載のマット状浴槽。
【請求項６】
前記ミスト案内部は、前記横臥部側において前記ミスト供給孔に接続するパイプ状部材を備えており、前記パイプ状部材の菅壁には、該パイプ状部材の内腔と外部とを連通する複数の流通孔が形成されている請求項３から５のいずれかに記載のマット状浴槽。
【請求項７】
前記パイプ状部材は、前記横臥部に横臥する使用者の足元側又は側部側に配置されている請求項６に記載のマット状浴槽。
【請求項８】
前記パイプ状部材は、可撓性を備えている請求項６または７に記載のマット状浴槽。
【請求項９】
前記ミスト案内部は、前記横臥部側において前記ミスト供給孔に一端部側が接続する管路部材と、前記横臥部側において前記管路部材の他端部側に接続するミスト噴出横臥部材とを備えており、
前記ミスト噴出横臥部材は、前記管路部材と連通する内部空間を備え、使用者が横臥可能なマット状部材であり、使用者の背中側が当接する一方面には、複数の噴出孔が形成されている請求項３に記載のマット状浴槽。
【請求項１０】
前記横臥部の表面には溝部が形成されていることを特徴とする請求項１から９のいずれかに記載のマット状浴槽。 
【請求項１１】
前記マット本体は、シート状に形成され、前記横臥部と前記側壁部との境界に形成される線状の側壁境界薄肉部を備えており、前記側壁部は、前記側壁境界薄肉部を介して立ち上げ可能に形成されていることを特徴とする請求項１から１０のいずれかに記載のマット状浴槽。
【発明の詳細な説明】
【技術分野】
【０００１】
本発明は、マット状浴槽、特に、ミスト発生装置と共に使用されるマット状浴槽に関する。
【背景技術】
【０００２】
従来から、病人、身障者あるいは寝たきりの高齢者等（以後、要介護者と称す）の介護で最も体力を必要とする入浴作業を、体力のない女性や高齢の介護人でも、ベッドや布団の上で極めて手軽に行うことができる介護用入浴システムが知られている。
【０００３】
このような介護用入浴システムは、特許文献１に開示されているように、マット状浴槽と、該マット状浴槽の上を覆うカバーと、ミスト発生装置とを備えており、ミスト発生装置から供給されるミストをカバーに設けられるミスト供給孔を介して、マット状浴槽に横臥する要介護者に噴霧することにより、少量の水で十分な入浴効果を得られるように構成されている。
【先行技術文献】
【特許文献】
【０００４】
【特許文献１】特開平１０−１５０１９号公報
【発明の概要】
【発明が解決しようとする課題】
【０００５】
しかしながら、従来の介護用入浴システムにおいては、上記のように、ミスト発生装置から供給されるミストをカバーに設けられるミスト供給孔を介して噴霧される構造を有しているため、ミスト発生装置とミスト供給孔とを接続しミストが流れる管路（パイプ）がカバーの上方に配置されることになり、管路とカバーとの接続体の安定性が極めて悪いという問題があり、ミスト噴霧中に、カバーが傾く、或いは、カバーが所定のセット位置からずれてしまうおそれがあった。また、このような問題を解消するには、要介護者が入浴している間、介護人は、カバーを押さておく必要があり、必ずしも体力のない女性や高齢の介護人が手軽に要介護者の入浴を介助できるとはいえないのが実情である。また、別途、管路を固定するための固定装置を設けことにより、カバーの傾きや位置ズレを防止することも考えられるが、このような場合、固定装置のセッティングが必要になり、簡便に介護用入浴システムをセットすることが困難になる。
【０００６】
本発明は、上述の問題を解消するためになされたものであり、より一層手軽に要介護者の入浴を行うことができる介護用入浴システムを構成するために用いられるマット状浴槽を提供することを目的とする。
【課題を解決するための手段】
【０００７】
本発明の前記目的は、マット状浴槽と、前記マット状浴槽の上を覆うカバーと、ミスト発生装置とを備える介護用入浴システムに用いられるマット状浴槽であって、人が横臥可能な横臥部と、前記横臥部の周縁に設けられる側壁部とを備えるマット本体を有し、前記側壁部は、前記ミスト発生装置が発生させたミストが流通する管路が接続し、該ミストを前記横臥部側に向けて吹き出すためのミスト供給孔と、前記横臥部側から前記マット本体外側にミストを排出して前記ミスト発生装置に還流させるためのミスト排出孔を備えることを特徴とするマット状浴槽により達成される。
【０００８】
また、上記マット状浴槽に関し、前記横臥部は、平面視矩形状に形成されており、前記ミスト供給孔及び前記ミスト排出孔は、前記横臥部の周縁に設けられる複数の側壁部の内、一の側壁部に設けられていることが好ましい。
【０００９】
また、前記横臥部側において配置され、前記ミスト排出孔から前記横臥部側に導かれるミストの吹き出し方向を変更するミスト案内部を更に備えることが好ましい。
【００１０】
また、前記ミスト案内部は、前記ミスト供給孔から供給されたミストを前記横臥部の平面方向に沿う方向よりも上方に向けて案内可能に構成されているが好ましい。
【００１１】
また、前記ミスト案内部は、前記ミスト供給孔から供給されたミストを前記横臥部の平面方向に沿う方向よりも下方に向けて案内可能に構成されていることが好ましい。
【００１２】
また、前記ミスト案内部は、前記横臥部側において前記ミスト供給孔に接続するパイプ状部材を備えており、前記パイプ状部材の菅壁には、該パイプ状部材の内腔と外部とを連通する複数の流通孔が形成されていることが好ましい。
【００１３】
また、前記パイプ状部材は、前記横臥部に横臥する使用者の足元側又は側部側に配置されていることが好ましい。また、前記パイプ状部材は、可撓性を備えていることが好ましい。
【００１４】
また、前記ミスト案内部は、前記横臥部側において前記ミスト供給孔に一端部側が接続する管路部材と、前記横臥部側において前記管路部材の他端部側に接続するミスト噴出横臥部材とを備えており、前記ミスト噴出横臥部材は、前記管路部材と連通する内部空間を備え、使用者が横臥可能なマット状部材であり、使用者の背中側が当接する一方面には、複数の噴出孔が形成されるように構成してもよい。
【００１５】
また、前記横臥部の表面には溝部が形成されてもよい。また、前記マット本体は、シート状に形成され、前記横臥部と前記側壁部との境界に形成される線状の側壁境界薄肉部を備えており、前記側壁部は、前記側壁境界薄肉部を介して立ち上げ可能に形成してもよい。
【発明の効果】
【００１６】
本発明によれば、より一層手軽に要介護者の入浴を行うことができる介護用入浴システムを構成するために用いられるマット状浴槽を提供することができる。
【図面の簡単な説明】
【００１７】
【図１】本発明に係るマット状浴槽が利用される介護用入浴システムを示す概略構成図である。
【図２】本発明に係るマット状浴槽の斜視図である。
【図３】本発明に係るマット状浴槽（マット本体）の構成を説明する雨の平面図である。
【図４】本発明に係るマット状浴槽の変形例を説明するための要部拡大断面図である。
【図５】本発明に係るマット状浴槽の他の変形例を説明するための要部拡大断面図である。
【図６】ミスト案内部の効果を説明するための要部拡大模式図である。
【図７】本発明に係るマット状浴槽の他の変形例を説明するための要部拡大断面図である。
【図８】ミスト案内部の変形例を説明するための（ａ）概略構成平面図、（ｂ）その要部断面図である。
【図９】ミスト案内部の変形例を説明するための概略構成平面図である。
【図１０】本発明に係るマット状浴槽の他の変形例を説明するための平面図である。
【図１１】本発明に係るマット状浴槽の他の変形例を説明するための説明図である。
【図１２】本発明に係るマット状浴槽の他の変形例を説明するための斜視図である。
【図１３】本発明に係るマット状浴槽の他の変形例を説明するための斜視図である。
【図１４】本発明に係るマット状浴槽に設置されるカバーの一例を示す斜視図である。
【図１５】本発明に係るマット状浴槽の他の変形例を説明するための説明図である。
【発明を実施するための形態】
【００１８】
以下、本発明のマット状浴槽に係る実施形態について添付図面を参照して説明する。なお、各図は、説明の容易化のため部分的に拡大・縮小している。本発明は、図１の概略構成図に示すように、マット状浴槽１と、該マット状浴槽１の上を覆うカバー２０と、ミスト発生装置３０とを備える介護用入浴システムに用いられるマット状浴槽に係るものである。なお、介護用入浴システムは、ミスト発生装置３０から供給されるミストを、管路（パイプ）及びカバー２０に設けられるミスト供給孔５を介して、マット状浴槽１に横臥する要介護者（使用者）Ｚに噴霧することにより、少量の水（例えば、１Ｌ程度の水量）で十分な入浴効果を得られるように構成されている。カバー２０の内側に噴霧されるミストは、例えば、約４２℃前後の入浴最適温度に加温されており、このミストがカバー２０内に充満し、要介護者Ｚの全身を万遍なく覆って入浴気分を満喫させることができる。
【００１９】
ここで、カバー２０は、マット状浴槽１に横臥した要介護者Ｚの首部分からつま先部分までを覆うものであり、カバー２０の内側面と要介護者Ｚの体表面との間に十分な空間を形成できるようにテント状に構成されている。このカバー２０は、防水性の布部材と、この布部材に設けられ、テント状の形態を維持するための比較的細い支柱とを備えて構成されている。カバー２０は、マット状浴槽１の所定位置に載置等してセットできるように構成してもよく、或いは、マット状浴槽１が備える側壁部４に面ファスナー等の係着手段を介して接続固定するように構成してもよい。なお、カバー２０は、上記構成のものに限定されるものではなく、カバー２０の内側面と要介護者Ｚの体表面との間に空間を形成できるようなもので有れば、種々の構成のものを使用することができる。
【００２０】
また、ミスト発生装置３０は、例えば、エアーコンプレッサーで圧縮した空気を加熱ヒータで加熱してノズルから噴射することにより、ノズル近傍の水噴出口から供給される水と混合して入浴に適した４０〜４５℃前後のミストを発生させる装置や、加熱ヒータにより加熱された水をミスト化回転体に衝突させることにより所定の温度のミストを発生させる装置等を用いることができる。ミスト発生装置３０としては、特に限定されず、従来から知られているものを使用することができるが、高い洗浄効果や保温効果、モイスチャー効果を得ることができる点で、ナノミストを発生させることができる装置を使用することが好ましい。
【００２１】
本発明に係るマット状浴槽１は、図２の斜視図に示すように、人が横臥可能な横臥部３と、該横臥部３の周縁に立設する側壁部４とを有するマット本体２を備えている。このマット本体２は、柔軟性及び防水性を有する素材から形成されている。横臥部３は、要介護者Ｚが横臥するのに十分な面積を有する平面視矩形状に形成されている。側壁部４は、ミスト発生装置３０が発生させたミストが流通する管路が接続し、該ミストを横臥部３側に向けて吹き出すためのミスト供給孔５を備えている。また、横臥部３側からマット本体２外側にミストを排出するためのミスト排出孔６とを備えている。ミスト排出孔６には、別途管路（パイプ）が接続され、該ミスト排出孔６及びパイプを介して外部に導かれたミストは、ミスト発生装置３０に還流され、新たに生成されたミストと混合されてカバー２０内に供給される。なお、ミスト排出孔６から排出されたミストは、ミスト発生装置３０に還流させずに大気中に放出するようにしてもよい。
【００２２】
また、ミスト供給孔５及びミスト排出孔６が形成される側壁部４の位置は特に限定されないが、横臥部３の周縁に設けられる複数の側壁部４の内、一の側壁部４、つまり、同一の側壁部４に、ミスト供給孔５及びミスト排出孔６を形成することが好ましい。ここで、ミスト供給孔５及びミスト排出孔６の各孔径は、それぞれを同一寸法として構成してもよく、あるいは、異なる寸法として構成してもよい。なお、ミスト供給孔５及びミスト排出孔６の各孔径を異なる寸法として構成する場合、ミスト供給装置３０に接続されている管路を誤ってミスト排出孔６に接続してしまうような事態が発生することを効果的に防止することが可能となる。
【００２３】
また、同一の側壁部４に、ミスト供給孔５及びミスト排出孔６を形成する場合、ミスト供給孔５を、側壁部４の長手方向に沿った一方端部側に設け、ミスト排出孔６を、側壁部４の長手方向に沿った他方端部側に設けるようにして構成することが好ましい。特に、ミスト供給孔５は、横臥部３に横臥する使用者の足元側に形成することがより好ましい。
【００２４】
また、マット本体２は、図３の平面図に示すように、シート状に形成され、横臥部３と側壁部４との境界に形成される線状の側壁境界薄肉部７を備えて、この側壁境界薄肉部７を介して側壁部４を立ち上げ可能に形成されるように構成してもよい。このような構成を採用することにより、要介護者Ｚをベッドの隅に寝かしたまま、ベッド上にシート状のマット本体２（開いた状態のマット本体２）をセットし、セット後に要介護者Ｚをマット本体２上に横滑りさせるような体勢で移動させることが可能となるので、体力のない女性や高齢の介護人であっても、容易にマット本体２（マット状浴槽１）の上に要介護者Ｚを載せることが可能となる。なお、マット本体２のセットと要介護者Ｚの移動が完了した後、側壁境界薄肉部７を介して側壁部４を立ち上げ、側壁部４に別途設けられる面ファスナー等の係着手段により側壁部４の立設状態は維持される。
【００２５】
本発明に係るマット状浴槽１は、側壁部４に、ミスト発生装置３０が発生させたミストが流通する管路が接続し、該ミストを横臥部３側に向けて吹き出すためのミスト供給孔５と、横臥部３側からマット本体２外側にミストを排出するためのミスト排出孔６を備えるように構成しているため、従来のように、ミストが流れる管路（パイプ）が、カバー２０の上方に配置されることがなく、カバー２０は、継続して安定的に横臥部３に横たわる要介護者Ｚの上方を覆った状態を維持することになる。これにより、従来よりもより一層手軽に要介護者Ｚの入浴を行うことが可能となる。
【００２６】
なお、側壁部４に形成されるミスト供給孔５やミスト排出孔６には、それぞれ管路（パイプ）が接続されることになるが、これら接続された管路は、ベッドの周縁部や布団が敷かれる床部分において支持される為、各管路の影響によって側壁部４が外側に倒れ込むといった事態は防止される。
【００２７】
また、上記実施形態においては、ミスト供給孔５及びミスト排出孔６は、横臥部３の周縁に設けられる複数の側壁部４の内、一の側壁部４に設けられているが、このような構成を採用することにより、介護人が、ミスト供給孔５及びミスト排出孔６のそれぞれに管路をセットする作業性を向上させることができる。また、例えば、入浴を行う要介護者Ｚがベッドを利用している場合、当該ベッドは、その一の側縁部分が壁に当接されて配置されていることが一般的であるが、このような場合であっても、ミスト供給孔５及びミスト排出孔６をマット本体２における同一の側壁部４に形成していることにより、この側壁部４が壁とは反対側の位置となるようにマット状浴槽１を配置することにより、各管路の接続を介護人が容易に行うことが可能となり、介護用入浴システムを利用した要介護者Ｚの入浴をより一層手軽に行うことが可能となる。
【００２８】
また、上記実施形態においては、ミスト供給孔５は、一の側壁部４の長手方向に沿った一方端部側に設けられており、ミスト排出孔６は、当該一の側壁部４の長手方向に沿った他方端部側に設けられているが、このような構成を採用することにより、カバー２０内に供給されたミストが対流効果によりカバー２０内にいきわたった後、ミスト排出孔６を介して外部に排出されるように構成できるため、ミストの有効利用を図ることが可能となる。
【００２９】
また、ミスト供給孔５は、横臥部３に横臥する要介護者Ｚの足元側に形成されていることが好ましいが、このような構成を採用することにより、比較的温度の高いミストがカバー２０内に供給される場合の安全性を高めることができ、また、ミストが直接的に体表面に当ることを嫌う要介護者Ｚの要望に応えることが可能となる。
【００３０】
以上、本発明の一実施形態に係るマット状浴槽１について説明したが、マット状浴槽１の具体的構成は、上記実施形態に限定されない。例えば、マット状浴槽１の横臥部３側において配置されるミスト案内部８を更に備えるように構成してもよい。このミスト案内部８は、ミスト排出孔５から横臥部３側に導かれるミストの吹き出し方向を変更する機能を備えている。ミスト案内部８の一例を図４の要部拡大断面図に示す。図４に示すミスト案内部８は、ミスト供給孔５から供給されたミストを横臥部３の平面方向に沿う方向よりも上方に向けて案内可能に構成されている。このようなミスト案内部８を備えることにより、ミスト発生装置３０から供給されたミストが横臥部３に横たわる要介護者Ｚに直接的に当ることを効果的に抑制することができる。また、カバー２０内に噴霧されるミストの温度が比較的高いような場合の安全性を高め、また、ミストが直接的に体表面に当ることを嫌う要介護者Ｚの要望に応えることが可能となる。また、横臥部３の平面方向に沿う方向よりも上方に向けてミストを案内可能とするミスト案内部８に関し、その具体的構成は特に限定されないが、図４に示すように、ミスト供給孔５の下方側における側壁部４の所定個所に一の縁部が接続する板状部材により構成することができる。なお、この板状部材は、その一方面が、上方に向かうに従い、側壁部４の内側面と離隔する状態として設けられている。
【００３１】
また、ミスト案内部８の構成として、ミスト供給孔５から供給されたミストを横臥部３の平面方向に沿う方向よりも下方に向けて案内可能に構成してもよい。このような構成を採用することにより、横臥部３に横たわる要介護者Ｚの背中側にミストを効果的に供給することができ、要介護者Ｚの体を効果的に暖めることが可能となる。なお、横臥部３の平面方向に沿う方向よりも下方に向けてミストを案内可能とするミスト案内部８に関し、その具体的構成は特に限定されないが、図５の要部拡大断面図に示すように、ミスト供給孔５の上方側における側壁部４の所定個所に一の縁部が接続する板状部材により構成することができる。なお、この板状部材は、その一方面が、下方に向かうに従い、側壁部４の内側面と離隔する状態として設けられている。また、このようなミスト案内部８としては、例えば、ミスト供給孔８の開口面積よりも広い面積を有する布部材の縁部を、ミスト供給孔５の上方側における側壁部４の所定個所に取り付け、垂れ下がった布部材がミスト供給孔５の横臥部３側開口を覆うように構成してもよい。このような構成であっても、ミスト供給孔５を介して噴霧されるミストの流入圧により、布部材の上方の一の縁部が固定された状態で布部材の下方側が横臥する要介護者Ｚ側に向かって移動し、ミスト供給孔５からミストがカバー２０内に供給されると共に、布部材によってその供給方向が、横臥部３の平面方向に沿う方向よりも下方に案内される。
【００３２】
なお、ミスト供給孔５から供給されたミストを横臥部３の平面方向に沿う方向よりも下方に向けて案内可能となるようにミスト案内部８を構成する場合、図６の要部拡大模式図に示すように、横臥部３の上に横臥用マット９を別途敷き、この横臥用マット９の上に要介護者Ｚを横臥させるようにすることがより好ましい。このような横臥用マット９を横臥部３の表面と要介護者Ｚとの間にセットすることにより、ミスト案内部８によって横臥部３の平面方向に沿う方向よりも下方に向けて案内されたミストが横臥用マット９の側部から該横臥用マット９内に進入しつつ、要介護者Ｚの背中側に導かれるため、より一層、要介護者Ｚの体を効果的に暖めることができると共に、背中側の発汗作用を促して、背中の皮脂や汚れを効果的に洗浄することが可能となる。
【００３３】
また、ミスト案内部８の構成として、ミスト供給孔５から供給されたミストの一部分を、横臥部３の平面方向に沿う方向よりも上方に向けて案内可能としつつ、供給されたミストの残りの部分を、横臥部３の平面方向に沿う方向よりも下方に向けて案内可能となるように構成することもできる。具体的には、例えば、図７の要部拡大断面図に示すように、ミスト供給孔５の上方側における側壁部４の所定個所に一の縁部が接続すると共に、一方面が、下方に向かうに従い、側壁部４の内側面と離隔する状態となる板状部材８１を設け、この板状部材８１に貫通孔８２及び板状フィン８３を設けることにより構成することができる。貫通孔８２は、ミスト供給孔５の孔径よりも小さい孔として構成されており、板状フィン８３は、この貫通孔８２よりも下方側における板状部材８１の所定個所に一の縁部が接続するように配置される。また、板状フィン８３は、その一方面が、上方に向かうに従い、板状部材８１の他方面と離隔する状態として設けられている。このようなミスト案内部８によれば、ミスト供給孔５を介してカバー２０内に導かれたミストの一部が、板状部材８１に形成された貫通孔８２及び板状フィン８３を介して、カバー２０内空間の上方側に向かって案内されると共に、ミストの残りりゅうつうあｎ部分が、板状部材８１の一方面に沿って流れるため、横臥部３の平面方向に沿う方向よりも下方に向けて案内されることになる。
【００３４】
また、ミスト案内部８の構成としては、図８（ａ）の概略構成平面図や、その要部断面を示す図８（ｂ）に示すように、マット状浴槽１の横臥部３側において配置されるパイプ状部材を備えるように構成することもできる。このパイプ状部材により構成されるミスト案内部８は、その一端部がミスト供給孔５に接続して配置される。また、パイプ状のミスト案内部８の他方端（ミスト供給孔５に接続していない端部）は、閉塞していることが好ましい。パイプ状部材（ミスト案内部８）の菅壁には、該パイプ状部材の内腔と外部とを連通する複数の流通孔８５が形成されている。各流通孔８５は、ミスト案内部８の軸方向に沿って所定間隔をあけて形成されており、ミスト供給孔５を介して導かれたミストは、パイプ状のミスト案内部８の内部及び各流通孔８５を介してカバー２０内に噴霧される。ここで、各流通孔８５をパイプ状部材の上半分側に形成することにより、ミストを横臥部３の平面方向に沿う方向よりも上方に向けて案内可能となり、また、各流通孔８５をパイプ状部材の下半分側に形成することにより、ミストを横臥部３の平面方向に沿う方向よりも下方に向けて案内可能となる。なお、図８（ｂ）においては、横臥部３の平面方向に沿う方向よりも上方に向けてミストを案内可能となるミスト案内部８を示している。また、パイプ状部材を備えるようにミスト案内部８を構成する場合、図８（ａ）に示すように、横臥部に横臥する使用者Ｚの足元側に配置されることが好ましいが、横臥部に横臥する使用者Ｚの側部側に沿うようにして配置することもできる
【００３５】
図８（ａ）に示すようにミスト案内部８を構成することにより、カバー２０内において広い範囲でミストを噴霧することが可能となり、効果的に要介護者Ｚの体を効果的に暖めることができ、さらに、皮脂や汚れを効果的に洗浄することが可能となる。
【００３６】
ここで、パイプ状部材により形成されるミスト案内部８は、可撓性を備えるように構成することが好ましい。可撓性を備えることにより、パイプ状のミスト案内部８を所望の向き・位置となるようにカバー２０内に設置することが可能となる。また、蛇腹構成としてパイプ状のミスト案内部８を形成してもよい。
【００３７】
また、パイプ状のミスト案内部８に形成される各流通孔８５は、ミスト供給孔５との接続位置から離れるに従い、徐々にその開口面積が大きくなるように構成することが好ましい。このように各流通孔８５の開口面積を設定することにより、パイプ状のミスト案内部８内腔を流下するミストの圧力損失の影響をキャンセルして各流通孔８５から吹き出るミストの流量を均一化することが可能となる。
【００３８】
また、パイプ状のミスト案内部８は、ミスト供給孔５との接続箇所において、回動可能となるように構成することが好ましい。このような構成を採用することにより、ミスト案内部８を回動させるだけで、ミストが吹き出る向きを容易に、上方側、あるいは、下方側に変更することが可能となる。
【００３９】
また、ミスト案内部８の構成としては、図９の概略構成平面図に示すように、マット状浴槽１の横臥部３側において配置される管路部材８７及びミスト噴出横臥部材８８を備えるように構成することもできる。管路部材８７の一端部側はミスト供給孔５に接続し、他端部側はミスト噴出横臥部材８８に接続している。ミスト噴出横臥部材８８は、管路部材８７と連通する内部空間を備えるマット状部材であり、この上に要介護者Ｚは横臥することになる。要介護者Ｚが横臥するミスト噴出横臥部材８８の一方面（要介護者（使用者）Ｚの背中側が当接する一方面）には、ミスト噴出横臥部材８８の内部空間に連通する複数の噴出孔８９が形成されており、ミスト供給孔５を介して導かれたミストは、管路部材８７、ミスト噴出横臥部材８８の内部空間、噴出孔８９を介してカバー２０内に噴霧される。このようなミスト案内部８を構成することにより、要介護者Ｚの背中側にミスト導くことができるため、要介護者Ｚの体を効果的に暖めることができると共に、背中側の発汗作用を促して、背中の皮脂や汚れを効果的に洗浄することが可能となる。
【００４０】
また、図９に示すようなミスト案内部８を採用する場合、管路部材８７に複数の貫通孔を形成し、ミスト供給孔５を介して導かれたミストの一部分を管路部材８７の表面からカバー２０内に噴霧できるように構成してもよい。また、ミスト噴出横臥部材８８の一方面に形成される各噴出孔８９に関し、管路部材８７とミスト噴出横臥部材８８との接続位置から離れるに従い開口径が徐々に大きくなるように構成してもよい。
【００４１】
また、図９に示すようなミスト案内部８を採用する場合、上述の図６の要部拡大模式図に示す横臥用マット９をミスト噴出横臥部材８８の上側に敷き、この横臥用マット９の上に要介護者Ｚを横臥させるようにしてもよい。このような横臥用マット９をミスト噴出横臥部材８８の上にセットすることにより、ミスト案内部８、管路部材８７及びミスト噴出横臥部材８８の貫通孔８９を介して横臥用マット９内に進入したミストは、横臥用マット９内で拡散されて上方側（要介護者Ｚの背中側）に導かれることになる為、局所的なミストの背中側への噴出を抑制して、より一層、要介護者Ｚの体を効果的に暖めることができると共に、背中側の発汗作用を促して、背中の皮脂や汚れを効果的に洗浄することが可能となる。
【００４２】
また、上記実施形態において、図１０の平面図に示すように、マット状浴槽１における横臥部３の表面に溝部１０が形成されるように構成してもよい。このような溝部１０を設けることにより、カバー２０内に供給されたミストの一部が、該溝部１０を通過して要介護者Ｚの背中側に導かれやすくすることができ、より一層、要介護者Ｚの体を効果的に暖めることができると共に、背中側の発汗作用を促して、背中の皮脂や汚れを効果的に洗浄することが可能となる。また、横臥部３の表面に形成される溝部１０の具体的な構成は特に限定されないが、図１０に示すように、溝部１０を直線状に形成し、このような直線状の溝部１０を所定間隔あけて複数設けるような構成を例示することができる。なお、溝部１０を形成するエリアとしては、横臥部３と、該横臥部３に横たわる要介護者Ｚとの接触領域よりも広い範囲に設定し、横臥部３に要介護者Ｚが横たわった場合であっても、溝部１０の一部分がカバー２０内の空間において露出することが、溝部１０を介した要介護者Ｚの背中側へのミストの流入効果が大きいため好ましい。なお、溝部１０の形態としては、図１０に示すような直線状の溝部１０の他、格子状等種々の形態を採用することができる。また、横臥部３の表面に凹みを形成することにより溝部１０を構成してもよく、或いは、横臥部３の表面に凸部を形成することにより、凸部間に溝部１０を形成するように構成してもよい。
【００４３】
また、上述のマット本体２は、図１１に示すように、その長手方向に対して略垂直な方向であって、一対の側壁部４の両側縁間を接続する折り畳み用の折り畳みライン１１を備え、折り畳み可能に構成してもよい。このような構成にてマット本体２（マット状浴槽１）を形成することにより、マット本体２を例えば、二つ折り、或いは、三つ折りの状態に畳めることができるため、マット本体２（マット状浴槽１）の持ち運びが容易となる。
【００４４】
また、上述のように、横臥部３と側壁部４との境界に形成される線状の側壁境界薄肉部７を備えて、この側壁境界薄肉部７を介して側壁部４を立ち上げ可能となるようにマット本体２を構成する場合、図１２（ａ）の斜視図に示すように、側壁境界薄肉部７を介して側壁部４を立ち上げた状態において、側壁部４に接続され、横臥部３に対する側壁部４の立設状態の維持を補助する補助部材１２を更に備えるように構成してもよい。このような補助部材１２としては、例えば、所定長さの棒状部材を好適に使用することができ、マット状浴槽１の長手方向を構成する一対の側壁部４に設けることが好ましい。側壁部４と棒状部材（補助部材１２）との接続には、例えば、面ファスナー等の係着部材を介して互いに接続することができる。なお、棒状部材（補助部材１２）は、その底面が、横臥部３上に載置されるようにセットされる。また、棒状部材（補助部材１２）は、側壁部４に形成されるミスト供給孔５やミスト排出孔６を塞ぐことのない太さとして形成される。
【００４５】
また、マット本体２の構成として、上記図３に示すように、横臥部３と側壁部４との境界に形成される線状の側壁境界薄肉部７を備えて、この側壁境界薄肉部７を介して側壁部４を立ち上げ可能に構成しつつ、上記図１１に示すように、マット本体２の長手方向に対して略垂直な方向であって、一対の側壁部４の両側縁間を接続する折り畳み用の折り畳みライン１１を備え、折り畳み可能に構成する場合、棒状に形成される補助部材１２は、図１２（ｂ）の斜視図に示すように、その長手方向が側壁部４に沿った状態で、かつ、折り畳みライン１１をまたいだ状態で配置されることが好ましい。このような配置にて補助部材１２をセッティングすることにより、側壁部４に形成される折り畳みライン１１近傍にて、側壁部４が外側に倒れることを抑制して、側壁部４の立設状態を確実に維持することが可能となる。なお、側壁部４と補助部材１２とを接続する面ファスナー等の係着部材は、側壁部４に形成される折り畳みライン１１近傍に設けるように構成することが好ましい。
【００４６】
また、マット本体２の構成として、上記図３に示すように、横臥部３と側壁部４との境界に形成される線状の側壁境界薄肉部７を備えて、この側壁境界薄肉部７を介して側壁部４を立ち上げ可能に構成しつつ、上記図１１に示すように、マット本体２の長手方向に対して略垂直な方向であって、一対の側壁部４の両側縁間を接続する折り畳み用の折り畳みライン１１を備え、折り畳み可能に構成する場合において、補助部材１２の具体的構成は、図１２（ｂ）の斜視図に示すものに限定されず、例えば、図１３の斜視図に示すように、折り畳みライン１１をまたいだ状態で、かつ、側壁部４の表面に沿って配置される板状部材として構成することもできる。このような板状部材は、面ファスナー等の係着部材を介して側壁部４の表面に接続固定してもよく、あるいは、側壁部４に別途設けられるポケット状の収納部に挿入して設置することができる。
【００４７】
また、上記実施形態においては、横臥部３が、平面視矩形状に形成される構成を例示しているが、横臥部３の形態は、このような平面視矩形状に特に限定されず、種々の平面視形態として構成できる。
【００４８】
また、上記実施形態においては、ミスト供給孔５及びミスト排出孔６は、横臥部３の周縁に設けられる複数の側壁部４の内、一の側壁部４に設けられているが、このような構成に特に限定されず、ミスト供給孔５及びミスト排出孔６をそれぞれ異なる側壁部４に設けるように構成してもよい。
【００４９】
また、上記実施形態においては、同一の側壁部４に、ミスト供給孔５及びミスト排出孔６を形成する場合、ミスト供給孔５を、側壁部４の長手方向に沿った一方端部側に設け、ミスト排出孔６を、側壁部４の長手方向に沿った他方端部側に設けるようにして構成しているが、このような構成に限定されるものではなく、例えば、一の側壁部４の中央部近傍において、ミスト供給孔５及びミスト排出孔６が隣接するような配置を採用してもよい。  
【００５０】
また、上記実施形態においては、ミスト供給孔５及びミスト排出孔６を一の側壁部４に設けるように構成しているが、この一の側壁部４に対向する側壁部４にもミスト供給孔５及びミスト排出孔６をさらに追加するようにしてマット本体２（マット状浴槽１）を構成してもよい。このような構成を有するマット状浴槽１を用いて要介護者Ｚ が入浴を行う場合、管路が接続していないミスト供給孔５及びミスト排出孔６からミストが漏れ出ることを防止するために、ミスト供給孔５及びミスト排出孔６には開口を閉塞する蓋部材を設ける。
【００５１】
また、例えば、カバー２０の構成として、図１４に示すように、複数の逆Ｕ字型の支柱２１と、該各支柱２１に張り渡された布部材２２を備えるような構成を採用する場合、例えば、図１５に示すように、マット本体２が備える互いに対向する一対の側壁部４の外側面に、逆Ｕ字型の各支柱２１の下端部２１ａが挿入保持される差し込み筒４１を備えるように構成することが好ましい。なお、差し込み筒４１の内径は、各支柱２１の下端部２１ａの外径よりもわずかに大きくなるように構成することが、カバー２０を安定的に設置できるため好ましい。このような構成としてカバー２０及びマット本体２を構成することにより、より一層簡便に介護用入浴システムをセットすることが可能となる。
【符号の説明】
【００５２】
１  マット状浴槽
２  マット本体
３  横臥部
４  側壁部
４１  差し込み筒
５  ミスト供給孔
６  ミスト排出孔
７  側壁境界薄肉部
８  ミスト案内部
８１  板状部材
８２  貫通孔
８３  板状フィン
８５  流通孔
８７  管路部材
８８  ミスト噴出横臥部材
８９  噴出孔
９  横臥用マット
１０  溝部
１１  折り畳みライン
１２  補助部材
２０  カバー
２１  支柱
２２  布部材
３０  ミスト発生装置
【要約】      （修正有）【課題】より一層手軽に要介護者の入浴を行うことができる介護用入浴システムを構成するために用いられるマット状浴槽を提供する。【解決手段】マット状浴槽１と、前記マット状浴槽の上を覆うカバーと、ミスト発生装置とを備える介護用入浴システムに用いられるマット状浴槽１であって、人が横臥可能な横臥部３と、前記横臥部の周縁に設けられる側壁部４とを備えるマット本体２を有し、前記側壁部は、前記ミスト発生装置が発生させたミストが流通する管路が接続し、該ミストを前記横臥部側に向けて吹き出すためのミスト供給孔５と、前記横臥部側から前記マット本体外側にミストを排出するためのミスト排出孔６を備える。【選択図】図２【図１】
0006779431.tif 000002
【図２】
0006779431.tif 000003
【図３】
0006779431.tif 000004
【図４】
0006779431.tif 000005
【図５】
0006779431.tif 000006
【図６】
0006779431.tif 000007
【図７】
0006779431.tif 000008
【図８】
0006779431.tif 000009
【図９】
0006779431.tif 000010
【図１０】
0006779431.tif 000011
【図１１】
0006779431.tif 000012
【図１２】
0006779431.tif 000013
【図１３】
0006779431.tif 000014
【図１４】
0006779431.tif 000015
【図１５】
0006779431.tif 000016